(57)【要約】【課題】被確認対象者５０に負担をかけることなく、被確認対象者５０の日常生活におけるプレゼンス情報を生成することができるプレゼンス情報生成システム、プレゼンス情報生成装置及びプレゼンス情報生成プログラムを提供する。【解決手段】屋内に配設され、被確認対象者が所定行動をしたときに、検出信号を出力する検出装置と、検出信号に基づいて被確認対象者の状態を示すプレゼンス情報を生成する生成装置とを備えたプレゼンス情報生成システムにおいて、生成装置は、検出装置から出力される検出信号を受信する受信手段と、期間内の検出信号を周波数スペクトルの情報に変換する変換手段と、周波数スペクトルの情報から所定の周波数帯の情報を抽出する抽出手段と、抽出手段により抽出した所定の周波数帯の情報に基づき、被確認対象者のプレゼンス情報を生成する生成手段と、を有する。【選択図】図８
2011205365.tif 000002
【特許請求の範囲】
【請求項１】
屋内に配設され、被確認対象者が所定行動をしたときに、検出信号を出力する検出装置と、前記検出信号に基づいて前記被確認対象者の状態を示すプレゼンス情報を生成する生成装置とを備えたプレゼンス情報生成システムにおいて、
前記生成装置は、
前記検出装置から出力される前記検出信号を受信する受信手段と、
所定期間内の前記検出信号を周波数スペクトルの情報に変換する変換手段と、
前記周波数スペクトルの情報から所定の周波数帯の情報を抽出する抽出手段と、
前記抽出手段により抽出した前記所定の周波数帯の情報に基づき、前記被確認対象者のプレゼンス情報を生成する生成手段と、を有することを特徴とするプレゼンス情報生成システム。
【請求項２】
前記抽出手段は、前記所定の周波数帯の情報を２つ以上の周波数帯の情報とし、
前記生成手段は、前記２つ以上の周波数帯の情報のそれぞれに基づき、前記被確認対象者のプレゼンス情報を生成する
ことを特徴とする請求項１に記載のプレゼンス情報生成システム。
【請求項３】
前記検出装置を複数備え、
前記生成手段は、前記検出装置毎に、前記被確認対象者のプレゼンス情報を生成する
ことを特徴とする請求項１又は２に記載のプレゼンス情報生成システム。
【請求項４】
前記生成装置から出力される前記被確認対象者のプレゼンス情報を報知する報知装置を備えたことを特徴とする請求項１〜３のいずれか１項に記載のプレゼンス情報生成システム。
【請求項５】
前記報知装置は、
前記生成装置の抽出手段による抽出対象である前記所定の周波数帯を設定する設定手段と、
前記設定手段による設定結果を、前記生成装置に送信する設定結果送信手段と、を備え、
前記生成装置の抽出手段は、前記報知装置から送信された前記設定結果に基づいた周波数帯の情報を前記周波数スペクトルの情報から抽出する
ことを特徴とする請求項４に記載のプレゼンス情報生成システム。
【請求項６】
前記報知装置は、
前記被確認対象者のプレゼンス情報を確認する前記検出装置の情報、前記被確認対象者の行動パターン、及び前記被確認対象者の年齢・性別のうち、少なくともいずれか一つを入力する入力手段と、
前記入力手段による入力結果を、前記生成装置に送信する入力結果送信手段と、を備え、
前記生成装置は、
前記報知装置から送信された前記入力結果に基づき、前記抽出手段によって抽出処理を行う前記所定の周波数帯を決定する決定手段を備える
ことを特徴とする請求項４に記載のプレゼンス情報生成システム。
【請求項７】
前記報知装置は、
前記被確認対象者の外出スケジュールの情報を入力する外出スケジュール入力手段と、
前記外出スケジュール入力手段に入力された前記外出スケジュールの情報を、前記生成装置に送信する外出スケジュール送信手段と、を備え、
前記生成装置は、前記外出スケジュール送信手段により送信された前記外出スケジュールの情報に基づき、前記被確認対象者のプレゼンス情報の生成を中止する
ことを特徴とする請求項４〜６のいずれか１項に記載のプレゼンス情報生成システム。
【請求項８】
屋内に配設され、被確認対象者が所定行動をしたときに、検出信号を出力する検出装置から出力される前記検出信号を受信する受信手段と、
所定期間内の前記検出信号を周波数スペクトルの情報に変換する変換手段と、
前記周波数スペクトルの情報から所定の周波数帯の情報を抽出する抽出手段と、
前記抽出手段により抽出した前記所定の周波数帯の情報に基づき、前記被確認対象者のプレゼンス情報を生成する生成手段と、を有することを特徴とするプレゼンス情報生成装置。
【請求項９】
屋内に配設され、被確認対象者が所定行動をしたときに、検出信号を出力する検出装置から出力される前記検出信号を受信する受信手段と、
所定期間内の前記検出信号を周波数スペクトルの情報に変換する変換手段と、
前記周波数スペクトルの情報から所定の周波数帯の情報を抽出する抽出手段と、
前記抽出手段により抽出した前記所定の周波数帯の情報に基づき、前記被確認対象者のプレゼンス情報を生成する生成手段として、コンピュータを機能させることを特徴とするプレゼンス情報生成プログラム。
【発明の詳細な説明】
【技術分野】
【０００１】
本発明は、屋内に配設され、被確認対象者が所定行動をしたときに、検出信号を出力する検出装置から出力される前記検出信号に基づいて被確認対象者の状態を示すプレゼンス情報を生成するプレゼンス情報生成システム、プレゼンス情報生成装置及びプレゼンス情報生成プログラムに関する。
【背景技術】
【０００２】
従来、室内の被確認対象者の状態を示すプレゼンス情報を取得するために、被確認対象者の行動を室内に設置された赤外線センサや接触型のセンサなどの検出装置を利用して検出し、データ処理して被確認対象者のプレゼンス情報を生成することが行われている。さらに、室内に設置されたマイクやビデオカメラなどをインターネット網に接続して外部から監視可能とすることで、被確認対象者のプレゼンス情報を取得することも行われている。
【０００３】
また、特許文献１には、携帯電話の利用パターンや携帯電話に搭載されたセンサなどから取得される音声情報から、被確認対象者の状態を推測し、プレゼンス情報として発行する技術が開示されている。
【先行技術文献】
【特許文献】
【０００４】
【特許文献１】特開２００５−２７５８９０号公報
【発明の概要】
【発明が解決しようとする課題】
【０００５】
しかし、被確認対象者のプレゼンス情報を生成するための従来の方法は、その生成が複雑であり、また、マイクやビデオカメラを監視する方法では、プライバシーの保護において問題があった。
【０００６】
本発明は、上述したような課題に鑑みてなされたものであり、比較的簡易な処理により被確認対象者の状態に応じたプレゼンス情報を生成できるプレゼンス情報生成システム、プレゼンス情報生成装置及びプレゼンス情報生成プログラムを提供することを目的とする。
【課題を解決するための手段】
【０００７】
上記目的を達成するために、請求項１に係る発明は、屋内に配設され、被確認対象者が所定行動をしたときに、検出信号を出力する検出装置と、前記検出信号に基づいて前記被確認対象者の状態を示すプレゼンス情報を生成する生成装置とを備えたプレゼンス情報生成システムにおいて、前記生成装置は、前記検出装置から出力される前記検出信号を受信する受信手段と、所定期間内の前記検出信号を周波数スペクトルの情報に変換する変換手段と、前記周波数スペクトルの情報から所定の周波数帯の情報を抽出する抽出手段と、前記抽出手段により抽出した前記所定の周波数帯の情報に基づき、前記被確認対象者のプレゼンス情報を生成する生成手段と、を有することを特徴とするプレゼンス情報生成システムとした。
【０００８】
また、請求項２に係る発明は、請求項１に記載のプレゼンス情報生成システムにおいて、前記抽出手段は、前記所定の周波数帯の情報を２つ以上の周波数帯の情報とし、前記生成手段は、前記２つ以上の周波数帯の情報のそれぞれに基づき、前記被確認対象者のプレゼンス情報を生成することを特徴とする。
【０００９】
また、請求項３に係る発明は、請求項１又は２に記載のプレゼンス情報生成システムにおいて、前記検出装置を複数備え、前記生成手段は、前記検出装置毎に、前記被確認対象者のプレゼンス情報を生成することを特徴とする。
【００１０】
また、請求項４に係る発明は、請求項１〜３のいずれか１項に記載のプレゼンス情報生成システムにおいて、前記生成装置から出力される前記被確認対象者のプレゼンス情報を報知する報知装置を備えたことを特徴とする。
【００１１】
また、請求項５に係る発明は、請求項４に記載のプレゼンス情報生成システムにおいて、前記報知装置は、前記生成装置の抽出手段による抽出対象である前記所定の周波数帯を設定する設定手段と、前記設定手段による設定結果を、前記生成装置に送信する設定結果送信手段と、を備え、前記生成装置の抽出手段は、前記報知装置から送信された前記設定結果に基づいた周波数帯の情報を前記周波数スペクトルの情報から抽出することを特徴とする。
【００１２】
また、請求項６に係る発明は、請求項４に記載のプレゼンス情報生成システムにおいて、前記報知装置は、前記被確認対象者のプレゼンス情報を確認する前記検出装置の情報、前記被確認対象者の行動パターン、及び前記被確認対象者の年齢・性別のうち、少なくともいずれか一つを入力する入力手段と、前記入力手段による入力結果を、前記生成装置に送信する入力結果送信手段と、を備え、前記生成装置は、前記報知装置から送信された前記入力結果に基づき、前記抽出手段によって抽出処理を行う前記所定の周波数帯を決定する決定手段を備えることを特徴とする。
【００１３】
また、請求項７に係る発明は、請求項４〜６のいずれか１項に記載のプレゼンス情報生成システムにおいて、前記報知装置は、前記被確認対象者の外出スケジュールの情報を入力する外出スケジュール入力手段と、前記外出スケジュール入力手段に入力された前記外出スケジュールの情報を、前記生成装置に送信する外出スケジュール送信手段と、を備え、前記生成装置は、前記外出スケジュール送信手段により送信された前記外出スケジュールの情報に基づき、前記被確認対象者のプレゼンス情報の生成を中止することを特徴とする。
【００１４】
また、請求項８に係る発明は、屋内に配設され、被確認対象者が所定行動をしたときに、検出信号を出力する検出装置から出力される前記検出信号を受信する受信手段と、所定期間内の前記検出信号を周波数スペクトルの情報に変換する変換手段と、前記周波数スペクトルの情報から所定の周波数帯の情報を抽出する抽出手段と、前記抽出手段により抽出した前記所定の周波数帯の情報に基づき、前記被確認対象者のプレゼンス情報を生成する生成手段と、を有することを特徴とするプレゼンス情報生成装置とした。
【００１５】
また、請求項９に係る発明は、屋内に配設され、被確認対象者が所定行動をしたときに、検出信号を出力する検出装置から出力される前記検出信号を受信する受信手段と、所定期間内の前記検出信号を周波数スペクトルの情報に変換する変換手段と、前記周波数スペクトルの情報から所定の周波数帯の情報を抽出する抽出手段と、前記抽出手段により抽出した前記所定の周波数帯の情報に基づき、前記被確認対象者のプレゼンス情報を生成する生成手段として、コンピュータを機能させることを特徴とするプレゼンス情報生成プログラムとした。
【発明の効果】
【００１６】
本発明によれば、被確認対象者の自宅に設置した検出装置の検出信号を、周波数スペクトルに変換して所定の周波数帯を抽出し、抽出した所定の周波数帯に基づいて被確認対象者のプレゼンス情報を生成する。そのため、比較的簡易な処理により被確認対象者の状態に応じたプレゼンス情報を生成することができる。
【図面の簡単な説明】
【００１７】
【図１】本発明の一実施形態に係るプレゼンス情報生成システムの全体的な構成を示す図である。
【図２】所定期間の間、検出装置から受信した検出信号の周波数スペクトルへの変換を説明する図である。
【図３】周波数スペクトルの情報から予め設定されている周波数帯の情報を抽出した場合を説明する図である。
【図４】プレゼンス情報生成装置が作成したプレゼンス情報の一例を示す図である。
【図５】プレゼンス情報生成装置の具体的構成を示すブロック図である。
【図６】報知装置の具体的構成を示すブロック図である。
【図７】検出装置の具体的構成を示すブロック図である。
【図８】プレゼンス情報生成装置で実行される処理の流れを説明する図である。
【図９】複数の検出装置毎の設定データを示す図である。
【図１０】プレゼンス情報生成装置で実行されるメイン処理の流れを示す図である。
【図１１】プレゼンス情報生成装置で実行されるプレゼンス情報生成・通知処理の流れを示す図である。
【図１２】報知装置で実行されるプレゼンス情報表示処理の流れを示す図である。
【発明を実施するための形態】
【００１８】
以下、本発明の一実施形態を、図面を参照して説明する。
【００１９】
［１．プレゼンス情報生成システムの概略］
まず、図１を参照して、プレゼンス情報生成システムの概略を説明する。図１はプレゼンス情報生成システムの全体的な構成を示す図である。
【００２０】
プレゼンス情報生成システムは、住宅４０の屋内に配設された複数の検出装置２０、２１、被確認対象者５０の状態を示すプレゼンス情報を生成するプレゼンス情報生成装置１０、プレゼンス情報生成装置１０が生成したプレゼンス情報を報知する報知装置３０などから構成される。
【００２１】
検出装置２０は、住宅４０内のトイレ４１に設置されている赤外線センサであり、被確認対象者５０がトイレ４１に入室したことを検出すると所定の検出信号をプレゼンス情報生成装置１０に出力する。検出装置２１は、玄関などのドアの開け閉め検知センサであり、被確認対象者５０によるドアの開け閉めを検出すると所定の検出信号をプレゼンス情報生成装置１０に出力する。
【００２２】
なお、検出装置としては、上述した検出装置２０、２１に限らず、例えば、お風呂給湯／追焚き検知、照明機器のオンオフ検知、室内のドアの開け閉め検知、電気ポットの使用検知、テレビのオンオフ検知、トイレの排水検知、トイレの着座検知などを検出できるものが用いられる。また、検出装置は、これらに限らず、住宅４０において、被確認対象者５０の生活の行動を検出できるものであればよい。
【００２３】
プレゼンス情報生成装置１０は、検出装置２０、２１からの検出信号を受信し、所定期間内の検出装置からの検出信号を周波数スペクトルの情報に変換するようにしている。そして、プレゼンス情報生成装置１０は、この周波数スペクトルの情報から所定の周波数帯の情報を抽出し、このように抽出した所定の周波数帯の情報に基づき、被確認対象者５０のプレゼンス情報を生成する。
【００２４】
このように、検出装置２０、２１からの検出信号を、周波数スペクトルの情報に変換し、この周波数スペクトルのうち所定の周波数帯のレベルの大きさに基づき、被確認対象者５０の状態を示すプレゼンス情報を生成する。そのため、プレゼンス情報の生成処理を簡易なものとすることできる。なお、このプレゼンス情報生成装置１０の構成については、後に詳述する。
【００２５】
報知装置３０は、プレゼンス情報生成装置１０が生成したプレゼンス情報を表示する表示部３０ａを備えている。従って、例えば、遠隔地に居住する被確認対象者５０の親族等は、表示部３０ａに表示されたプレゼンス情報を確認することにより、被確認対象者５０の行動を知ることができる。この報知装置３０としては、例えば、携帯電話などの携帯移動端末が用いられる。
【００２６】
プレゼンス情報生成装置１０と報知装置３０とは、インターネット網７０を介して接続されている。そして、プレゼンス情報生成装置１０と報知装置３０との通信は、例えば、Ｓｅｓｓｉｏｎ  Ｉｎｉｔｉａｔｉｏｎ  Ｐｒｏｔｏｃｏｌ（セッション  イニシエーション  プロトコル：以下ＳＩＰという）の通信規格を用いて行われる。このＳＩＰは、インターネット網７０上で主に電話、テレビ電話やインスタント・メッセージングのような双方向のリアルタイム通信を制御するための通信規格である。このＳＩＰの通信制御は、インターネット網７０に接続されているＳＩＰサーバ６０により行われる。
【００２７】
上述してきた構成のプレゼンス情報生成システムでは、検出装置から出力される検出信号を周波数スペクトルの情報に変換して処理することで、比較的簡易な処理により被確認対象者５０の状態に応じたプレゼンス情報を生成することができる。さらに、生成したプレゼンス情報は、インターネット網７０を介したＳＩＰの通信制御により報知装置３０に送信されるため、報知装置３０の所持者は、被確認対象者５０のプレゼンス情報をリアルタイムで確認することができる。なお、本実施形態に係るプレゼンス情報生成システムでは、プレゼンス情報生成装置１０を住宅４０の屋内に配置することとしたが、プレゼンス情報生成装置１０は屋外に設けてもよい。例えば、検出装置２０、２１…ｎｎを直接又はルータなどを介してインターネット網７０に接続し、インターネット網７０を介して検出装置２０、２１…ｎｎとプレゼンス情報生成装置１０とを接続することもできる。
【００２８】
［２．プレゼンス情報の生成の概要］
以下、図１に示すプレゼンス情報生成システムにおいて、被確認対象者５０のプレゼンス情報の生成の概要を図２〜図４を用いて説明する。
【００２９】
図２（ａ）は、プレゼンス情報生成装置１０が検出装置２０から出力される検出信号の受信タイミングの履歴例を示す図である。図２（ｂ）は、図２（ａ）に示す１週間内の検出信号を高速フーリエ変換（Ｆａｓｔ  Ｆｏｕｒｉｅｒ  Ｔｒａｎｓｆｏｒｍ：以下、ＦＦＴともいう）したときの周波数スペクトルの情報を示す図である。図３（ａ），（ｂ）は、図２（ｂ）に示す周波数スペクトルの情報から予め設定されている周波数帯の情報を抽出した場合を示す図である。図４はプレゼンス情報生成装置１０が作成し、報知装置３０に表示されるプレゼンス情報の一例を示す図である。
【００３０】
プレゼンス情報生成装置１０において、一週間の間に、住宅４０のトイレ４１に設置されている検出装置２０からプレゼンス情報生成装置１０に送信された検出信号が、図２（ａ）に示すように受信されたとする。図２（ａ）に示す例では、被確認対象者５０が毎日トイレに行き、さらに、一日約５回平均で毎日トイレ４１を使用している。
【００３１】
図２（ａ）に示す一週間分の検出信号は、プレゼンス情報生成装置１０の変換手段により、高速フーリエ変換されて図２（ｂ）に示すように周波数スペクトルの情報に変換される。この高速フーリエ変換は、一週間を１（Ｈｚ）としている。また、図２（ｂ）の横軸は周波数ｆ（Ｈｚ）であり、縦軸はレベルＬ（ｄＢ）である。図２（ｂ）に示す周波数スペクトルの情報では、いくつかの周波数帯域でレベルが高くなっている。
【００３２】
ここで、例えば、図２（ｂ）に示す周波数スペクトルの情報の変換データを、プレゼンス情報生成装置１０の抽出手段により、図３（ａ）に示すように、５〜９（Ｈｚ）の周波数帯を抽出する。この周波数帯は、１週間にトイレ４１を使用した日数の目安になる周波数帯である。この周波数帯の周波数のうち、判定閾値を超えている周波数がある場合には、正常にトイレ４１を使用していることを概ね把握できる。図３（ａ）に示す例では、７（Ｈｚ）近辺でのレベルが高く、判定閾値Ｌ１を超えており、ほぼ毎日の頻度でトイレ４１を使用していることがわかる。
【００３３】
また、例えば、図２（ｂ）に示す周波数スペクトルの情報の変換データを、プレゼンス情報生成装置１０の抽出手段により、図３（ｂ）に示すように、４９〜６１（Ｈｚ）の周波数帯を抽出する。この周波数帯は、トイレ４１を使用する頻度が約３時間の間隔であることを示す目安になる周波数帯である。この周波数帯の周波数のうち、判定閾値を超えている周波数がある場合には、トイレ４１を使用する頻度が約３時間の間隔であることが概ね把握できる。図３（ｂ）に示す例では、５６（Ｈｚ）近辺でのレベルが高く、判定閾値Ｌ２を超えており、トイレ４１を使用する頻度が約３時間の間隔であることがわかる。
【００３４】
プレゼンス情報生成装置１０は、抽出された周波数帯を所定の判定閾値と比較して、その結果に応じてプレゼンス情報を生成する。この判定閾値は、被確認対象者５０の行動が正常か否かを判断するための数値である。抽出する周波数帯は、例えは、通常毎日トイレ４１を使用するので、図３（ａ）に示すように７Ｈｚを含むその前後の周波数帯が設定される。また、トイレ４１を使用した頻度を確認したい場合には、例えば、図３（ｂ）に示すように５６Ｈｚを含むその前後の周波数帯を設定することにより、トイレ４１を使用する頻度が約３時間の間隔であるか否かを把握することができる。
【００３５】
プレゼンス情報生成装置１０は、抽出された周波数帯のレベルと判定閾値とを比較し、判定閾値以上である場合は、図４（ａ）に示すように、「特に異常はありません。」というインスタント・メッセージングのプレゼンス情報を生成する。また、抽出された周波数帯のレベルが判定閾値よりも低いが、緊急を要しない程度の差の場合は、図４（ｂ）に示すように、「正常範囲外です。引き続き監視します。」というインスタント・メッセージングのプレゼンス情報を生成する。また、抽出された周波数帯のレベルが判定閾値よりも低く、異常を判断できる程の差がある場合は、図４（ｃ）に示すように、「異常があります。至急対応が必要です。」というインスタント・メッセージングのプレゼンス情報を生成する
【００３６】
このようにして生成されたプレゼンス情報は、プレゼンス情報生成装置１０から報知装置３０に送信され、報知装置３０の表示部３０ａに表示される。そして、報知装置３０の所持者は、被確認対象者５０のプレゼンス情報に応じて必要な対応を行うことができる。
【００３７】
このように、プレゼンス情報生成システムにおいては、検出装置２０から出力される所定期間の検出信号を周波数スペクトルの情報に変換することで、被確認対象者５０の行動のサイクルを検出し、被確認対象者５０のプレゼンス情報を生成している。周波数スペクトルの情報への変換は、高速フーリエ変換を用いて行うことができ、複雑な信号パターンから被確認対象者５０の状態を簡単な処理で特定し、迅速に報知装置３０に送信することを可能としている。
【００３８】
上述した実施例では、住宅４０のトイレ４１に設置された検出装置２０の検出信号により、被確認対象者５０のプレゼンス情報を生成している。しかし、これは一例であり、例えば、台所又は風呂に検出装置を設置し、この検出信号に基づいてプレゼンス情報を生成するようにしてもよい。また、台所、風呂、トイレなど日常の生活において必ず使用される場所に複数の検出装置を設置し、複数の検出装置からの検出信号に基づいてプレゼンス情報を生成することもできる。このように、複数の検出装置からの検出信号に基づいてプレゼンス情報を生成することにより、被確認対象者５０の行動をより詳細に特定することができる。
【００３９】
［３．プレゼンス情報生成システムの具体的構成］
プレゼンス情報生成システムにおける、プレゼンス情報生成装置１０、報知装置３０、検出装置２０の具体的構成について、図５〜図７を用いて説明する。図５はプレゼンス情報生成装置１０の具体的構成を示すブロック図である。図６は報知装置３０の具体的構成を示すブロック図である。図７は検出装置２０の具体的構成を示すブロック図である。
【００４０】
図５に示すように、プレゼンス情報生成装置１０には、制御部１４、記憶部１６、センサ入力部１７及び通信部１８が設けられている。なお、プレゼンス情報生成装置１０としては、制御部１４、記憶部１６、センサ入力部１７及び通信部１８などを備えたコンピュータなどが用いられる。
【００４１】
制御部１４は、ＣＰＵ１１、ＲＯＭ１２、ＲＡＭ１３により構成される。ＲＯＭ１２にはオペレーティングシステム（ＯＳ）が記憶されて、記憶部１６には、プレゼンス情報生成装置１０を動作として動作させるためのプレゼンス情報生成プログラムなどが記憶される。ＣＰＵ１１は、ＲＯＭ１２や記憶部１６からから各種プログラムを読み出して実行することにより制御部１４として機能する。ＲＡＭ１３は、各種のデータを一時的に記憶するメモリであり、ＣＰＵ１１によるプレゼンス情報生成装置１０の制御処理時に用いられる。
【００４２】
記憶部１６は、不揮発性メモリやハードディスクなどが用いられ、住宅４０に設置されている複数の検出装置から出力される検出信号の情報や生成した被確認対象者５０のプレゼンス情報などが記憶される。
【００４３】
センサ入力部１７は、住宅４０に設置された複数の検出装置の検出信号の入力を受信する。ここで受信された検出信号の受信情報は、複数の検出装置毎に記憶部１６に記憶され、被確認対象者５０のプレゼンス情報の生成に用いられる。
【００４４】
通信部１８は、外部通信網であるインターネット網７０との通信を制御する。具体的には、プレゼンス情報生成装置１０で生成されたプレゼンス情報を、報知装置３０にインターネット網７０を介して送信するなど、報知装置３０との通信を制御する。
【００４５】
図６に示すように、報知装置３０には、入力部３１、制御部３２、デコーダ部３３、映像処理部３４、表示部３０ａ、音声処理部３５、記憶部３７及び通信部３８が設けられている。なお、報知装置３０としては、携帯電話などが用いられる。
【００４６】
入力部３１は、報知装置３０に設けられている各種ボタン操作の入力による所定の検知信号を制御部３２に送信する。
【００４７】
制御部３２は、図示はしないがＣＰＵ１１、ＲＯＭ１２、ＲＡＭ１３などから構成され、報知装置３０の全体の制御を司る。デコーダ部３３は、一定の法則で符号化されて通信部３８で受信したプレゼンス情報などのテキストデータや音声データを復元して映像処理部３４および音声処理部３５に供給する。映像処理部３４は、デコーダ部３３から供給されたプレゼンス情報などのテキストデータを表示部３０ａに表示する制御を行う。音声処理部３５は、デコーダ部３３から供給された音声データをスピーカ３６から出力する制御を行う。
【００４８】
記憶部３７は、不揮発性メモリなどで構成され、詳細は後述するが、入力部３１から入力された情報が記憶される。例えば、検出装置を指定する情報、プレゼンス情報生成装置１０における所定の周波数帯、被確認対象者５０の行動パターンや個人情報、被確認対象者５０の外出スケジュールなどが記憶部３７に記憶される。
【００４９】
通信部３８は、外部通信網であるインターネット網７０との通信を制御する。具体的には、プレゼンス情報生成装置１０で生成されたプレゼンス情報を、インターネット網７０を介して受信するなど、プレゼンス情報生成装置１０との通信を制御する。また、検出装置を指定する情報、プレゼンス情報生成装置１０における所定の周波数帯、被確認対象者５０の行動パターンや個人情報、被確認対象者５０の外出スケジュールなどの情報がインターネット網７０を介してプレゼンス情報生成装置１０に送信される。
【００５０】
図７に示すように、検出装置２０には、制御部２７、赤外線Ｉ／Ｆ２２、赤外線センサ２３、記憶部２４及び通信部２５が設けられている。
【００５１】
制御部２７は、図示はしないがＣＰＵ１１、ＲＯＭ１２、ＲＡＭ１３などから構成され、検出装置２０の全体の制御を司る。赤外線Ｉ／Ｆ２２は赤外線センサ２３と制御部２７の通信を制御する。赤外線センサ２３は、所定の範囲内に赤外線を照射して、被確認対象者５０を検出すると、赤外線Ｉ／Ｆ２２を介して、所定の検出信号として制御部２７に供給する。
【００５２】
記憶部２４は、不揮発性メモリなどで構成され、検出装置２０から出力される検出信号の情報などが記憶される。通信部２５は、プレゼンス情報生成装置１０との通信を制御する。具体的には、検出装置２０が被確認対象者５０を検出すると、制御部２７の指示により所定の検出信号をプレゼンス情報生成装置１０に送信する。
【００５３】
［４．プレゼンス情報生成装置１０の具体的処理］
上述したプレゼンス情報生成装置１０で実行される受信手段、変換手段、抽出手段及びプレゼンス情報の生成手段の処理を、図８を参照して説明する。なお、この処理は、プレゼンス情報生成装置１０の制御部１４において実行されるものであり、制御部１４は、受信手段、変換手段、抽出手段及び生成手段などとして機能することになる。
【００５４】
図８に示すように、住宅４０の屋内には、複数の検出装置２０、２１…ｎｎが配設され、各検出装置は、住宅４０内で被確認対象者５０の行動を検出すると、所定の検出信号をプレゼンス情報生成装置１０へ送信する。
【００５５】
検出装置２０、２１…ｎｎからプレゼンス情報生成装置１０へ送信された検出信号は、センサ入力部１７を介して制御部１４で受信される。センサ入力部１７は、セレクタ９１を有しており、このセレクタ９１を介して、検出信号が制御部１４に入力される。セレクタ９１は、受信した検出信号を選択するものであり、予め被確認対象者５０のプレゼンス情報を生成するために用いる検出装置が指定されていた場合、指定された検出装置からの検出信号のみを制御部１４のトリガーサンプリング部８１に送る。
【００５６】
このように、本実施形態においては、被確認対象者５０のプレゼンス情報を生成するために用いる検出信号を出力する検出装置を、予め指定することができる。この検出装置の指定は、報知装置３０において設定可能としており、報知装置３０で検出装置の指定を行うと、このように検出装置を指定する情報がプレゼンス情報生成装置１０へ送信され、指定モード決定部８８に設定される。指定モード決定部８８は、指定された検出装置の検出信号だけがトリガーサンプリング部８１に入力されるようにセレクタ９１を制御する。
【００５７】
トリガーサンプリング部８１は、受信手段として、検出信号を入力すると、この検出信号の受信情報（受信日時）をデータ記憶部８２に記憶する。データ記憶部８２は、プレゼンス情報生成装置１０の記憶部１６に割り当てられた記憶領域であり、複数の検出装置２０、２１…ｎｎ毎の検出信号の受信情報を記憶することができる。
【００５８】
データ収集部８３は、プレゼンス情報を生成するために、指定モード決定部８８によって指定された検出装置からの検出信号の受信情報を、所定の期間を一つの単位（例えば、一週間分）として、データ記憶部８２から収集する。これにより、例えば、図２（ａ）に示すように、一週間の間の検出装置２０からの検出信号の受信情報が収集される。
【００５９】
ＦＦＴ演算部８４は、変換手段として、一週間の間の検出信号を高速フーリエ変換により周波数スペクトルの情報に変換する。これにより、例えば、図２（ｂ）に示すように、周波数スペクトルの情報に変換される。
【００６０】
周波数フィルタ部８５は、抽出手段として、ＦＦＴ演算部８４から出力される周波数スペクトルの情報に所定の周波数帯でフィルタ処理をすることにより、周波数スペクトルの情報から所定の周波数帯の情報を抽出する。例えば、図３（ａ）に示すように、周波数フィルタ部８５は、５〜９（Ｈｚ）の周波数帯を抽出する。また、図３（ｂ）に示すように、周波数フィルタ部８５は、４９〜６１（Ｈｚ）の周波数帯を抽出する。
【００６１】
抽出値判定部８６は、生成手段として、抽出した周波数帯を所定の判定閾値と比較して、その結果に応じてプレゼンス情報を生成する。判定結果通知部８７は、通信部１８を介して生成したプレゼンス情報を報知装置３０に送信する。この報知装置３０に送信されたプレゼンス情報は、図４に示すようなインスタント・メッセージングである。
【００６２】
ここで、データ収集部８３で検出信号の受信情報を収集する単位である「所定の期間」と、周波数フィルタ部８５によって抽出される「周波数帯」と、抽出値判定部８６で用いられた「判定閾値」とについて図９を用いて説明する。図９は、複数の検出装置毎の設定データを示す図である。
【００６３】
図９に示すように、住宅４０の屋内に配設されている複数の検出装置２０、２１…ｎｎに関して、それぞれ判定期間、フィルタ、判定閾値が予め設定されている。判定期間は、データ収集部８３が検出装置からの検出信号の受信情報を収集する「所定期間」である。フィルタは、周波数フィルタ部８５が周波数スペクトルの情報から抽出する「周波数帯」である。判定閾値は、抽出値判定部８６が抽出した周波数帯のレベルを比較して、プレゼンス情報の内容を決定する判定値である。
【００６４】
このように、プレゼンス情報生成装置１０は、複数の検出装置２０、２１…ｎｎにより、複数の検出内容の異なる検出信号に対して、個別の設定データで、プレゼンス情報を生成することができる。
【００６５】
図９に示す複数の検出装置毎の設定データは、プレゼンス情報生成装置１０の記憶部１６に予め記憶されているものであるが、報知装置３０から受信した設定入力情報に基づいてその設定データを変更することができる。すなわち、報知装置３０は、周波数フィルタ部８５で用いられるフィルタの設定や変更をするための設定手段としての入力部３１を備えている。なお、入力部３１により、図９に示すフィルタだけではなく、判定期間及び判定閾値も設定できる。
【００６６】
そして、例えば、報知装置３０から受信した設定入力情報が所定の周波数帯であるとき、制御部１４は、この所定の周波数帯を抽出するフィルタを決定し、記憶部１６に記憶している設定データを変更する。また、設定入力情報が、被確認対象者５０の行動パターンや年齢・性別であるとき、制御部１４は、この行動パターンや年齢・性別に適した設定データ（所定の周波数帯を抽出するフィルタや判定閾値）を判定し、記憶部１６に記憶している設定データを変更する。報知装置３０は、通信部３８を、入力部３１による設定結果を、プレゼンス情報生成装置１０に送信する設定結果送信手段として、プレゼンス情報生成装置１０へ設定入力情報を送信する。
【００６７】
プレゼンス情報生成装置１０の制御部１４は、設定入力情報を受信するとこの設定入力情報に基づいて、記憶部１６の所定の領域に記憶されている設定データを書き換えて更新する。以後、プレゼンス情報生成装置１０の制御部１４は、更新された設定データに基づいてプレゼンス情報を生成する。
【００６８】
なお、報知装置３０から受信した設定入力情報が被確認対象者５０の外出スケジュールであるとき、制御部１４は、この外出期間におけるプレゼンス情報の生成を中止する。例えば、制御部１４は、外出期間には検出装置からの検出信号の受信を行わないようにする。また、制御部１４は、外出期間を「所定の期間」に含めずに、記憶部１６から検出信号を収集する。このようにすることで、外出期間におけるプレゼンス情報の生成を中止する。
【００６９】
以下、プレゼンス情報生成装置１０で実行される処理について、図１０及び図１１を用いて説明する。図１０は、プレゼンス情報生成装置１０で実行されるメイン処理の流れを示す図である。図１１は、プレゼンス情報生成装置１０で実行されるプレゼンス情報生成・通知処理の流れを示す図である。
【００７０】
なお、図１０のメイン処理及び図１１のプレゼンス情報生成・通知処理は、プレゼンス情報生成装置１０に電源が投入されている場合に、プレゼンス情報生成装置１０の制御部１４により実行される。まず、図１０を用いてメイン処理を説明する。
【００７１】
制御部１４のＣＰＵ１１は、ステップＳ１０１において、プレゼンス情報を生成するタイミングか否かを判断し、プレゼンス情報を生成するタイミングになったと判断（ステップＳ１０１：Ｙｅｓ）すると、ＣＰＵ１１は、ステップＳ１０２へ処理を移す。一方、プレゼンス情報を生成するタイミングにはなっていないと判断（ステップＳ１０１：Ｎｏ）すると、ＣＰＵ１１は、ステップＳ１０３へ処理を移す。
【００７２】
上記ステップＳ１０１で判断されるプレゼンス情報を生成するタイミングは、図９に示す検出装置２０、２１…ｎｎ毎に設定された判定期間であり、検出装置２０、２１…ｎｎ毎にプレゼンス情報を生成するタイミングは異なる。すなわち、ＣＰＵ１１は、検出装置２０、２１…ｎｎ毎に所定のタイミングでプレゼンス情報の生成を実行する。なお、上述した判定期間とは別に、例えば、予めプレゼンス情報の生成する上記タイミングを定めておくこともできる。
【００７３】
ステップＳ１０２において、ＣＰＵ１１はプレゼンス情報生成・通知処理を実行する。このプレゼンス情報生成・通知処理は、詳細は後述するが、検出装置２０、２１…ｎｎ毎の検出信号に基づいて、被確認対象者５０のプレゼンス情報を生成する。ＣＰＵ１１は、この処理が終了すると、ステップＳ１０３へ処理を移す。
【００７４】
ステップＳ１０３において、ＣＰＵ１１は、複数の検出装置２０、２１…ｎｎからの検出信号を受信したか否かを判断する（ステップＳ１０３）。検出信号を受信したと判断（ステップＳ１０３：Ｙｅｓ）すると、ＣＰＵ１１は、ステップＳ１０４に処理を移し、検出装置２０、２１…ｎｎ毎に検出信号の受信情報を記憶部１６の所定の領域へ記憶する。この処理が終了すると、ＣＰＵ１１は、ステップＳ１０５へ処理を移す。一方、検出信号を受信していないと判断（ステップＳ１０３：Ｎｏ）すると、ＣＰＵ１１は、ステップＳ１０５へ処理を移す。
【００７５】
ステップＳ１０５において、ＣＰＵ１１は、報知装置３０から設定入力情報を受信したか否かを判断する（ステップＳ１０５）。この処理において、設定入力情報を受信したと判断（ステップＳ１０５：Ｙｅｓ）すると、ＣＰＵ１１は、ステップＳ１０６において、設定入力情報に応じて記憶部１６の所定の領域に記憶されている設定データ（図９参照）を書き換えて更新する。この処理が終了すると、ＣＰＵ１１は、ステップＳ１０７へ処理を移す。一方、設定入力情報を受信していないと判断（ステップＳ１０５：Ｎｏ）すると、ＣＰＵ１１は、ステップＳ１０７へ処理を移す。
【００７６】
ステップＳ１０７において、ＣＰＵ１１は、本メイン処理の終了を検知したか否かを判断し、終了を検知したと判断（ステップＳ１０７：Ｙｅｓ）すると、ＣＰＵ１１は、本メイン処理を終了する。一方、終了を検知していないと判断（ステップＳ１０７：Ｎｏ）すると、ＣＰＵ１１は、ステップＳ１０１へ処理を移す。
【００７７】
ステップＳ１０７で判断されるメイン処理の終了の検知は、例えば、プレゼンス情報生成装置１０の電源が遮断された場合に検知されるものであるが、これ以外でも、プレゼンス情報生成装置１０を休止させるための所定の信号の検知とすることもできる。
【００７８】
次に、図１１を用いてプレゼンス情報生成・通知処理を説明する。
【００７９】
ステップＳ２０１において、ＣＰＵ１１は、複数の検出装置２０、２１…ｎｎに応じた判定期間（図９参照）の検出信号の受信情報を記憶部１６の所定の領域から収集する。このステップＳ２０１の処理は、ＣＰＵ１１が上述したデータ収集部８３（図８参照）として機能して実行する処理である。
【００８０】
ステップＳ２０２において、ＣＰＵ１１は、収集した検知信号を、周波数スペクトルの情報に変換する。このステップＳ２０２の処理は、ＣＰＵ１１が上述した変換手段であるＦＦＴ演算部８４（図８参照）として機能して実行する処理であり、判定期間の検出信号を高速フーリエ変換により周波数スペクトルの情報に変換する。
【００８１】
ステップＳ２０３において、ＣＰＵ１１は、周波数スペクトルの情報にフィルタ処理を行うことにより、周波数スペクトルの情報から所定の周波数帯の情報を抽出する。このステップＳ２０３の処理は、ＣＰＵ１１が上述した抽出手段である周波数フィルタ部８５として機能して実行する処理である。
【００８２】
ステップＳ２０４において、ＣＰＵ１１は、抽出した所定の周波数帯の情報と判定閾値（図９参照）を比較して、判定閾値以上か否かを判断する。この処理において、判定閾値以上であると判断（ステップＳ２０４：Ｙｅｓ）すると、ＣＰＵ１１は、ステップＳ２０５へ処理に移し、被確認対象者５０が正常であるというプレゼンス情報（図４（ａ）参照）を生成して、報知装置３０に通知する。この処理が終了すると、ＣＰＵ１１は、本プレゼンス情報生成・通知処理を終了する。一方、判定閾値以上でないと判断（ステップＳ２０４：Ｎｏ）すると、ＣＰＵ１１は、ステップＳ２０６へ処理を移す。
【００８３】
ステップＳ２０６において、ＣＰＵ１１は、所定の検出装置を起動する。この所定の検出装置は、例えば、被確認対象者５０の居る可能性が高い寝室などに設置されている。そして、上記ステップＳ２０４において、ＣＰＵ１１が抽出した所定の周波数帯が判定閾値以上でないと判断した場合に、被確認対象者５０の存在を確認するためにＣＰＵ１１により起動される。これにより、寝室に被確認対象者５０が居た場合、その存在を確認することができる。
【００８４】
ステップＳ２０７において、ＣＰＵ１１は、抽出した所定の周波数帯の情報と判定閾値（図９参照）との差が大きいか否かを判断する。この処理において、差が大きいと判断（ステップＳ２０７：Ｙｅｓ）すると、ＣＰＵ１１は、ステップＳ２０８へ処理を移す。一方、差が大きくないと判断（ステップＳ２０７：Ｎｏ）すると、ＣＰＵ１１は、ステップＳ２１０へ処理を移す。
【００８５】
ステップＳ２０８において、ＣＰＵ１１は、被確認対象者５０が異常で緊急を要するというプレゼンス情報（図４（ｃ）参照）を生成して、報知装置３０に通知する。そして、ステップＳ２０９において、ＣＰＵ１１は、上記したステップＳ２０６で起動した所定の検出装置の検出結果を報知装置３０に通知する。つまり、上記異常で緊急を要するというプレゼンス情報が生成されたときは、被確認対象者５０が居る可能性が高い場所に設置された所定の検出装置の最新の検出結果も合わせて報知装置３０に通知する。これにより、報知装置３０の所持者は、通知されたプレンゼンス情報及び所定の検出装置の最新の検出結果に応じて、速やかに対処することができる。この処理が終了すると、ＣＰＵ１１は、本プレゼンス情報生成・通知処理を終了する。
【００８６】
ステップＳ２１０において、ＣＰＵ１１は、被確認対象者５０が良好までとはいかないが、緊急を要しない程度の差であるというプレゼンス情報（図４（ｂ）参照）を生成して、報知装置３０に通知する。この処理が終了すると、ＣＰＵ１１は、本プレゼンス情報生成・通知処理を終了する。
【００８７】
以下、図１２を用いて、報知装置３０におけるプレセンス情報表示処理を説明する。図１２は、報知装置３０で実行されるプレゼンス情報表示処理の流れを示す図である。なお、このプレゼンス情報表示処理は、報知装置３０に電源が投入されている状態で常に実行される処理である。
【００８８】
報知装置３０の制御部３２は、ステップＳ３０１において、プレゼンス情報を受信したか否かを判断し、プレゼンス情報を受信したと判断（ステップＳ３０１：Ｙｅｓ）すると、ＣＰＵ１１は、ステップＳ３０２において、受信したプレゼンス情報を表示部３０ａに表示させる。この処理が終了すると、制御部３２は、ステップＳ３０３へ処理を移す。一方、プレゼンス情報を受信していないと判断（ステップＳ３０１：Ｎｏ）すると、制御部３２は、ステップＳ３０３へ処理を移す。
【００８９】
ステップＳ３０３において、制御部３２は、設定入力があるか否かを判断し、設定入力があると判断（ステップＳ３０３：Ｙｅｓ）すると、制御部３２は、ステップＳ３０４において、設定入力情報をプレゼンス情報生成装置１０に送信する。この処理が終了すると、制御部３２は、ステップＳ３０５へ処理を移す。一方、設定入力はないと判断（ステップＳ３０３：Ｎｏ）すると、制御部３２は、ステップＳ３０５へ処理を移す。
【００９０】
このステップＳ３０４において、プレゼンス情報生成装置１０に送信される設定入力情報は、例えば、プレゼンス情報生成装置１０がプレゼンス情報を生成するための、抽出手段である周波数フィルタ部８５で用いられる所定の周波数帯などの各種設定データ（図９参照）である。なお、この設定入力情報には、検出装置を指定する情報（被確認対象者５０のプレゼンス情報を確認する検出装置の情報）、被確認対象者５０の行動パターン、及び年齢・性別のうち、少なくともいずれか一つの入力情報も含めることができる。さらに、被確認対象者５０の外出スケジュールの情報も含めることができる。
【００９１】
すなわち、報知装置３０の制御部３２は、プレゼンス情報生成装置１０の抽出手段による抽出対象である所定の周波数帯を設定する設定手段及び設定結果送信手段として機能する。また、報知装置３０の入力部３１は、被確認対象者５０のプレゼンス情報を確認する検出装置の情報、被確認対象者５０の行動パターン、及び年齢・性別のうち、少なくともいずれか一つを入力する入力手段及び入力結果送信手段として機能する。また、報知装置３０の入力部３１は、被確認対象者５０の外出スケジュールの情報を入力する外出スケジュール入力手段しても機能する。また、報知装置３０の通信部３８は、外出スケジュールの情報をプレゼンス情報生成装置１０に送信する外出スケジュール送信手段として機能する。
【００９２】
ステップＳ３０５において、制御部３２は、本プレゼンス情報表示処理の終了を検知したか否かを判断し、終了を検知したと判断（ステップＳ３０５：Ｙｅｓ）すると、制御部３２は、本プレゼンス情報表示処理を終了する。一方、終了を検知していないと判断（ステップＳ３０５：Ｎｏ）すると、制御部３２、ステップＳ３０１へ処理を移す。
【００９３】
ステップＳ３０５で判断されるプレゼンス情報表示処理の終了の検知は、例えば、報知装置３０の電源が遮断された場合に検知されるものであるが、これ以外でも、報知装置３０を休止させるための所定の信号の検知とすることもできる。
【００９４】
以上、本発明の実施形態のいくつかを図面に基づいて詳細に説明したが、これらは例示であり、当業者の知識に基づいて種々の変形、改良を施した他の形態で本発明を実施することが可能である。
【００９５】
例えば、プレゼンス情報生成装置１０に初期設定モードを設け、制御部１４はこの初期設定モードの期間に、検出装置から出力される検出信号に基づき、上記設定データにおける「所定の期間」、「周波数帯」及び「判定閾値」を決定するようにしてもよい。このようにすることで、被確認対象者５０の行動パターンに応じた設定データにすることができ、被確認対象者５０のプレゼンス情報を適切に生成することが可能となる。
【００９６】
また、検出信号の受信情報（受信日時）をデータ記憶部８２に記憶するようにしたが、さらに、検出信号の時間幅もデータ記憶部８２に記憶するようにしてもよい。このようにすることで、例えば、トイレ４１の使用時間なども検出することができる。
【００９７】
本発明を、上述してきた実施形態を通して説明したが、本実施形態のプレゼンス情報生成システム、プレゼンス情報生成装置及びプレゼンス情報生成プログラムによれば、以下の効果が期待できる。
【００９８】
（１）屋内に配設され、被確認対象者５０が所定行動をしたときに、検出信号を出力する検出装置２０と、検出信号に基づいて被確認対象者５０の状態を示すプレゼンス情報を生成するプレゼンス情報生成装置１０とを備えたプレゼンス情報生成システムにおいて、プレゼンス情報生成装置１０は、検出装置２０から出力される検出信号を受信するトリガーサンプリング部８１（受信手段）と、所定期間内の検出信号を周波数スペクトルの情報に変換するＦＦＴ演算部８４（変換手段）と、周波数スペクトルの情報から所定の周波数帯の情報を抽出する周波数フィルタ部８５（抽出手段）と、周波数フィルタ部８５により抽出した所定の周波数帯の情報に基づき、被確認対象者５０のプレゼンス情報を生成する抽出値判定部８６（生成手段）と、を有することを特徴とするプレゼンス情報生成システムとしたので、比較的簡易な処理により被確認対象者５０の状態に応じたプレゼンス情報を生成することができる。
【００９９】
（２）周波数フィルタ部８５（抽出手段）は、所定の周波数帯の情報を２つ以上の周波数帯の情報とし、抽出値判定部８６（生成手段）は、２つ以上の周波数帯の情報のそれぞれに基づき、被確認対象者５０のプレゼンス情報を生成することとしたので、例えば、被確認対象者５０の一日単位、週間単位或は月単位のプレゼンス情報を生成することができる。
【０１００】
（３）検出装置２０、２１…ｎｎを複数備え、抽出値判定部８６（生成手段）は、検出装置２０、２１…ｎｎ毎に、被確認対象者５０のプレゼンス情報を生成することとしたので、例えば、総合的な被確認対象者５０の日常生活のプレゼンス情報を生成することができる。
【０１０１】
（４）プレゼンス情報生成装置１０から出力される被確認対象者５０のプレゼンス情報を報知する報知装置３０を備えたこととしたので、例えば、遠隔地に居住する被確認対象者５０の親族に対して、被確認対象者５０のプレゼンス情報を報知することができる。
【０１０２】
（５）報知装置３０は、プレゼンス情報生成装置１０の周波数フィルタ部８５（抽出手段）による抽出対象である所定の周波数帯を設定する入力部３１（設定手段）と、入力部３１による設定結果を、プレゼンス情報生成装置１０に送信する通信部３８（設定結果送信手段）と、を備え、プレゼンス情報生成装置１０の周波数フィルタ部８５は、報知装置３０から送信された設定結果に基づいた周波数帯の情報を周波数スペクトルの情報から抽出することとしたので、例えば、被確認対象者５０のプレゼンス情報を生成する条件を変更することができる。
【０１０３】
（６）報知装置３０は、被確認対象者５０のプレゼンス情報を確認する検出装置２０、２１…ｎｎの情報、被確認対象者５０の行動パターン、及び被確認対象者５０の年齢・性別のうち、少なくともいずれか一つを入力する入力部３１（入力手段）と、入力部３１による入力結果を、プレゼンス情報生成装置１０に送信する通信部３８（入力結果送信手段）と、を備え、プレゼンス情報生成装置１０は、報知装置３０から送信された入力結果に基づき、周波数フィルタ部８５（抽出手段）によって抽出処理を行う所定の周波数帯を決定する決定手段を備えることとしたので、被確認対象者５０の個人情報に基づいたプレゼンス情報を生成することができる。
【０１０４】
（７）報知装置３０は、被確認対象者５０の外出スケジュールの情報を入力する入力部３１（外出スケジュール入力手段）と、入力部３１に入力された外出スケジュールの情報を、プレゼンス情報生成装置１０に送信する通信部３８（外出スケジュール送信手段）と、を備え、プレゼンス情報生成装置１０は、通信部３８により送信された外出スケジュールの情報に基づき、被確認対象者５０のプレゼンス情報の生成を中止することとしたので、例えば、被確認対象者５０が留守の場合に、在宅しているときとはパターンの異なる異常なプレゼンス情報が生成されることがない。
【０１０５】
（８）屋内に配設され、被確認対象者５０が所定行動をしたときに、検出信号を出力する検出装置２０から出力される検出信号を受信するトリガーサンプリング部８１（受信手段）と、所定期間内の検出信号を周波数スペクトルの情報に変換するＦＦＴ演算部８４（変換手段）と、周波数スペクトルの情報から所定の周波数帯の情報を抽出する周波数フィルタ部８５（抽出手段）と、抽出手段により抽出した所定の周波数帯の情報に基づき、被確認対象者５０のプレゼンス情報を生成する抽出値判定部８６（生成手段）と、を有することとしたので、比較的簡易な処理により被確認対象者５０の状態に応じたプレゼンス情報を生成することができる。
【０１０６】
（９）屋内に配設され、被確認対象者５０が所定行動をしたときに、検出信号を出力する検出装置２０から出力される検出信号を受信するトリガーサンプリング部８１（受信手段）と、所定期間内の検出信号を周波数スペクトルの情報に変換するＦＦＴ演算部８４（変換手段）と、周波数スペクトルの情報から所定の周波数帯の情報を抽出する周波数フィルタ部８５（抽出手段）と、抽出手段により抽出した所定の周波数帯の情報に基づき、被確認対象者５０のプレゼンス情報を生成する抽出値判定部８６（生成手段）として、コンピュータを機能させることとしたので、比較的簡易な処理により被確認対象者５０の状態に応じたプレゼンス情報を生成することができる。
【符号の説明】
【０１０７】
１０  プレゼンス情報生成装置
２０  検出装置
３０  報知装置
４０  住宅
５０  被確認対象者
６０  サーバ
７０  インターネット網
【図１】
2011205365.tif 000003
【図２】
2011205365.tif 000004
【図３】
2011205365.tif 000005
【図４】
2011205365.tif 000006
【図５】
2011205365.tif 000007
【図６】
2011205365.tif 000008
【図７】
2011205365.tif 000009
【図８】
2011205365.tif 000010
【図９】
2011205365.tif 000011
【図１０】
2011205365.tif 000012
【図１１】
2011205365.tif 000013
【図１２】
2011205365.tif 000014